(57)【要約】【課題】  球形トナーを使用して画質を向上させ、かつ、球形トナーをクリーニングするクリーニング装置及びこれを用いるプロセスカートリッジ、画像形成装置を提供する。【解決手段】  感光体に一様に帯電する帯電装置２５と、潜像を非磁性の球形トナーで顕像化する現像装置４３と、トナー像を転写する転写装置１５と、弾性体のクリーニングブレードで転写残トナーを除去するクリーニング装置４５を有し、ブレードエッジ部に磁性体の堰き止め紛体を保持する保持手段３１を有する画像形成装置において、前記堰き止め粉体は、磁性体を含有する磁性トナー２９であるクリーニング装置４５とする。【選択図】      図２
2005091799.tif 000002
【特許請求の範囲】
【請求項１】
感光体に一様に帯電する帯電装置と、潜像を非磁性の球形トナーで顕像化する現像装置と、トナー像を転写する転写装置と、弾性体のクリーニングブレードで転写残トナーを除去するクリーニング装置を有し、ブレードエッジ部に磁性体の堰き止め紛体を保持する保持手段を有する画像形成装置において、前記堰き止め粉体は、磁性体を含有する磁性トナーである
ことを特徴とするクリーニング装置。
【請求項２】
画像形成を行うトナーの円形度が０．９６以上である
ことを特徴とする請求項１に記載のクリーニング装置。
【請求項３】
磁性トナーの保持手段がクリーニングブレードと一体的に構成する着磁されたブレードホルダである
ことを特徴とする請求項１又は２に記載のクリーニング装置。
【請求項４】
磁性トナーの保持手段が着磁されたゴムのクリーニングブレードである
ことを特徴とする請求項１又は２に記載のクリーニング装置。
【請求項５】
磁性トナーの保持手段が着磁されたゴムとウレタンゴムの２層構造のクリーニングブレードである
ことを特徴とする請求項１又は２に記載のクリーニング装置。
【請求項６】
磁性トナーの保持手段がクリーニングブレード上流に配置された磁性ローラを有する
ことを特徴とする請求項１又は２に記載のクリーニング装置。
【請求項７】
磁性トナーの保持手段が第１の保持位置と第２の保持位置を有する
ことを特徴とする請求項１ないし６のいずれかに記載のクリーニング装置。
【請求項８】
第１の保持位置画像形成時で磁性トナーが感光体に接触し、第２の保持手段が非画像形成時で感光体から磁性トナーが離間する
ことを特徴とする請求項１ないし７のいずれかに記載のクリーニング装置。
【請求項９】
非画像形成時が予め決められた枚数後である
ことを特徴とする請求項１ないし８のいずれかに記載のクリーニング装置。
【請求項１０】
非画像形成時がウォームアップ時である
ことを特徴とする請求項１ないし８のいずれかに記載のクリーニング装置。
【請求項１１】
非画像形成時が紙間である
ことを特徴とする請求項１ないし８のいずれかに記載のクリーニング装置。
【請求項１２】
非画像形成時が１ＪＯＢ後である
ことを特徴とする請求項１ないし８のいずれかに記載のクリーニング装置。
【請求項１３】
予め保持手段表面に磁性トナーを保持させている
ことを特徴とする請求項１ないし１２のいずれかに記載のクリーニング装置。
【請求項１４】
１つの感光体と複数の現像装置からなる多色画像形成装置に用いる感光体用クリーニング装置が請求項１ないし１３のいずれかに記載のクリーニング装置である
ことを特徴とする多色画像形成装置。
【請求項１５】
複数の画像形成部からなる多色画像形成装置に用いる感光体用クリーニング装置が請求項１ないし１３のいずれかに記載のクリーニング装置である
ことを特徴とする多色画像形成装置。
【請求項１６】
感光体からトナー像を転写する中間転写体に用いる中間転写体用クリーニング装置が請求項１ないし１３のいずれかに記載のクリーニング装置である
ことを特徴とする多色画像形成装置。
【請求項１７】
紙を搬送する転写ベルトに用いる転写ベルト用クリーニング装置が請求項１〜１３に記載のクリーニング装置である
ことを特徴とする多色画像形成装置。
【請求項１８】
感光体用クリーニング装置が請求項１ないし１３のいずれかに記載のクリーニング装置である
ことを特徴とする多色画像形成装置。
【請求項１９】
感光体がフィラーを分散させた感光体である
ことを特徴とする請求項１ないし１８のいずれかに記載の画像形成装置
【請求項２０】
感光体がアモルファスシリコン感光体であることを特徴とする請求項１ないし１８のいずれかに記載の画像形成装置。
【請求項２１】
感光体と、帯電装置、現像装置、クリ−ニング装置より選ばれる少なくとも一つの装置を一体に支持し、画像形成装置本体に着脱自在であるプロセスカ−トリッジにおいて、前記クリーニング装置は、請求項１ないし２０のいずれかに記載のクリーニング装置である
ことを特徴とするプロセスカ−トリッジ。
【発明の詳細な説明】
【技術分野】
【０００１】
本発明は、複写機、ファクシミリ、プリンター等の静電複写プロセスによる画像形成に用いられるクリーニングブレード方式を用いたクリーニング装置並びにクリーニング装置を備えたプロセスカ−トリッジに関するものである。
【背景技術】
【０００２】
近年、電子写真方式を利用したカラー画像形成装置は広く普及してきており、また、デジタル化された画像が容易に入手できることも関係して、プリントされる画像の更なる高精細化が要望されている。画像のより高い解像度や階調性が検討される中で、高精細画像を形成するために、トナーの小粒径化・球形化の検討がなされている。小粒径化・球形化されたトナーは、忠実に転写されるために高精細画像を得るのに適しているが、球形化されたトナーは転がりやすいために、クリーニング装置におけるクリーニングブレードと感光体との間に入り込み、クリーニングがされず感光体上に残り、装置内に飛散して帯電ローラ等を汚すことで画像上に黒ポチ、地かぶり等の異常画像の原因となることがある。
【０００３】
このために、例えば、特許文献１では、記録材に転写後感光体上に残留したトナーを弾性ゴムブレードでクリーニングするクリーニング部材を有する電子写真画像形成方法において、トナー中にステアリン酸亜鉛がトナー重量に対し０．０１％以上、０．５％以下の量含有し、且つ、弾性ゴムブレードがクリーニング部材に固定するための支持部材にクリーニングブレードの感光体当接面側で実質的に保持されている電子写真画像形成方法が開示されている。しかし、トナーにステアリン酸亜鉛を添加すると、現像される画像の状態により感光体上のステアリン酸亜鉛が不均一になり、異常画像の発生を防止できないという問題点がある。    
そこで、例えば、特許文献２では、クリーニング対象物上の残留トナーを清掃するクリーニング装置において形状係数が１００〜１２５のトナーが塞き止められるトナー以外の塞き止め用紛体である不定形のシリカをブレード上流側で供給し、ブレードエッジ部に堆積保持させているクリーニング装置が開示されている。しかし、シリカでブレード及びクリーニング対象物が削れたり傷つけてしまうという問題がある。
【０００４】
また、特許文献３では、ブレードを用いたクリーニング装置を備えた画像形成装置において、球形トナーを収容した現像器と不定形トナーを収容した現像器とにより構成し、非画像領域の先端部を不定形トナー（黒トナー）で現像し、画像領域を球形トナーで現像している画像形成装置が開示されている。しかし、画質向上の為球形トナー使用しているにもかかわらず１つの現像器に不定形トナーを使用すれば画質の劣化を招くという問題がある。
また、特許文献４では、感光体ＣＬにブレードを使用し、中間転写体を有する画像形成装置で中間転写体を介して感光体のブレードへ不定形粒子を供給する不定形粒子供給手段を設け、不定形粒子供給手段が磁性導電性ロールであり静電気力で供給している画像形成装置が開示されている。しかし、感光体への供給が十分に行かないという問題がある。
また、特許文献５では、複数の現像器と中間転写体と一次転写手段とニ次転写手段と感光体上をＣＬするブレードとを有する画像形成装置で中間転写体上に不定形紛体を供給する紛体供給手段を設け、感光体上へ転移させる様にし、不定形粒子は樹脂で粉砕法により製作され透明であり、球形トナーとは逆の帯電極性を有している画像形成装置が開示されている。しかし、感光体への供給が十分に行かないという問題がある。
【０００５】
【特許文献１】特開平１１−１８４３４０号公報
【特許文献２】特開２００２−６７１０号公報
【特許文献３】特開平０８−２５４８７３号公報
【特許文献４】特開２００１−１６６６５９号公報
【特許文献５】特開２００２−７２８０２号公報
【発明の開示】
【発明が解決しようとする課題】
【０００６】
そこで、本発明は上記問題点に鑑みてなされたものであり、その課題は、球形トナーを使用して画質を向上させ、かつ、球形トナーをクリーニングするクリーニング装置及びこれを用いるプロセスカートリッジ、画像形成装置を提供することである。
【課題を解決するための手段】
【０００７】
上記課題を解決する手段である本発明の特徴を以下に挙げる。
本発明のクリーニング装置は、感光体に一様に帯電する帯電装置と、潜像を非磁性の球形トナーで顕像化する現像装置と、トナー像を転写する転写装置と、弾性体のクリーニングブレードで転写残トナーを除去するクリーニング装置を有し、ブレードエッジ部に磁性体の堰き止め紛体を保持する保持手段を有する画像形成装置において、前記堰き止め粉体は、磁性体を含有する磁性トナーであることを特徴とする。
本発明のクリーニング装置は、画像形成を行うトナーの円形度が０．９６以上であることを特徴とする。
本発明のクリーニング装置は、磁性トナーの保持手段がクリーニングブレードと一体的に構成する着磁されたブレードホルダであることを特徴とする。
本発明のクリーニング装置は、磁性トナーの保持手段が着磁されたゴムのクリーニングブレードであることを特徴とする。
本発明のクリーニング装置は、磁性トナーの保持手段が着磁されたゴムとウレタンゴムの２層構造のクリーニングブレードであることを特徴とする。
本発明のクリーニング装置は、磁性トナーの保持手段がクリーニングブレード上流に配置された磁性ローラを有することを特徴とする。
本発明のクリーニング装置は、磁性トナーの保持手段が第１の保持位置と第２の保持位置を有することを特徴とする。
本発明のクリーニング装置は、第１の保持位置画像形成時で磁性トナーが感光体に接触し、第２の保持手段が非画像形成時で感光体から磁性トナーが離間することを特徴とする。
本発明のクリーニング装置は、非画像形成時が予め決められた枚数後であることを特徴とする。
本発明のクリーニング装置は、非画像形成時がウォームアップ時であることを特徴とする。
本発明のクリーニング装置は、非画像形成時が紙間であることを特徴とする。
本発明のクリーニング装置は、非画像形成時が１ＪＯＢ後であることを特徴とする。
本発明のクリーニング装置は、予め保持手段表面に磁性トナーを保持させていることを特徴とする。
【０００８】
本発明の多色画像形成装置は、１つの感光体と複数の現像装置からなる多色画像形成装置に用いる感光体用クリーニング装置が請求項１ないし１３のいずれかに記載のクリーニング装置であることを特徴とする。
本発明の多色画像形成装置は、複数の画像形成部からなる多色画像形成装置に用いる感光体用クリーニング装置が請求項１ないし１３のいずれかに記載のクリーニング装置であることを特徴とする。
本発明の多色画像形成装置は、感光体からトナー像を転写する中間転写体に用いる中間転写体用クリーニング装置が請求項１ないし１３のいずれかに記載のクリーニング装置であることを特徴とする。
本発明の多色画像形成装置は、紙を搬送する転写ベルトに用いる転写ベルト用クリーニング装置が請求項１〜１３に記載のクリーニング装置であることを特徴とする。
本発明の多色画像形成装置は、感光体用クリーニング装置が請求項１ないし１３のいずれかに記載のクリーニング装置であることを特徴とする。
本発明の多色画像形成装置は、感光体がフィラーを分散させた感光体であることを特徴とする。
本発明の多色画像形成装置は、感光体がアモルファスシリコン感光体であることを特徴とする。
【０００９】
本発明のプロセスカートリッジは、感光体と、帯電装置、現像装置、クリ−ニング装置より選ばれる少なくとも一つの装置を一体に支持し、画像形成装置本体に着脱自在であるプロセスカ−トリッジにおいて、前記クリーニング装置は、請求項１ないし２０のいずれかに記載のクリーニング装置であることを特徴とする。
【発明の効果】
【００１０】
本発明は、上記解決するための手段によって、球形トナーであっても感光体を傷つけることなくクリーニングするクリーニング装置を提供することができる。また、球形トナーをクリニングし、かつ、高品位の画像を得ることができる画像形成装置を提供することができる。
【発明を実施するための最良の形態】
【００１１】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１２】
以下に、第１図は、画像形成装置全体の構成を示す概略図である。
画像形成の一連のプロセスはここではＮ／Ｐ(ネガポジ：電位が低い所にトナーが付着する)の接触帯電ローラ方式の例で行う。図示していない操作部のプリントボタンが押されると、図中の除電ランプ２、接触帯電ローラ２５、現像ローラ８、転写ローラ１５にそれぞれ所定の電圧又は電流が順次所定のタイミングで印加され、それとほぼ同時に感光体ドラム１、接触帯電ローラ２５、転写ローラ１５、現像ローラ８、左スクリュー９、右スクリュー１０、トナー排出スクリュー１９、クリーニングブラシ２８は所定の方向に回転し始める。
感光体ドラム１は除電ランプ２で除電され接触配置された接触帯電ローラ２５で一様に負に帯電（−９００Ｖ）され、レーザー光４で潜像形成（画像部黒ベタ電位は１５０Ｖ）が行われる。その潜像が現像ローラ８で形成される磁気ブラシにより現像（現像バイアスは−６００V）されトナー像が形成される。そして、そのトナー像が感光体ドラム１と転写ローラ１５との間に図示していない給紙機構から給送され、上レジストローラ１２と下レジストローラ１１で画像先端と同期を取り供給された転写紙上にトナー像が転写（転写電流：＋１０μＡ印加）される。転写紙は分離爪１６で感光体ドラム１より分離され、図示していない定着装置を経てコピー画像として排出される。
【００１３】
一方、転写ローラ１５で転写され、残った感光体ドラム１上のトナーは、感光体ドラム１の回転でクリーニング装置まで移送され、クリーニングブラシ２８でかき乱され、その次にクリーニングブレード２２で感光体ドラム１上から除去される。
クリーニングブレード２２で感光体ドラム１上から除去されたトナーはクリーニングブラシ２８の回転によりトナー排出スクリュー１９まで移送され、トナー排出スクリュー１９で機外に排出、又は現像装置に戻される。
本発明は、球形トナーを使用して画質向上を図ることを目的にしている。近年、画像形成装置においては、より高精度および高精細な画像が形成できるよう、高解像度を有することが要求されている。その達成手段の１つとしてより粒径を小さくしたトナーを用いることがあげられる。又従来より転写率の向上のためにトナーの形状を不定形状からより球に近い形状のものが使われるようになってきている。しかしながら、従来のクリーニングブレード２２のみを用いたクリーニング方式では、球状の小粒径トナーをクリーニングすることはトナーがすり抜けやすいことから難しくクリーニング不良が発生する。クリーニングブレード２２をすり抜けたトナーは帯電装置（特に接触帯電ローラ及び微少ギャップを維持して配置されている非接触帯電ローラが顕著である）を汚し、その結果感光体ドラム１表面の帯電ムラになり画像に濃度の濃淡が発生する。そこで、球形トナーを使用して画質向上を目的にしたブレードクリーニング方式に係わるものである。
【００１４】
第２図は、本発明のクリーニング装置の構成を示す概略図である。本発明は、上記不具合を解消する為、クリーニングブレード２２上流の感光体ドラム１とクリーニングブレード２２で形成されるクサビ部近傍にはクリーニングブレード２２と一体的に構成され、着磁された磁性ブレードホルダ３１が配置されている。その端部の感光体ドラム１に近い方に不定形の磁性トナ−２９を保持し、感光体ドラム１とクリーニングブレード２２で形成されるクサビ部に磁性トナー２９の堰を作り転写残として残った球形トナー３２を堰き止める様にしたものである。第３図は、第２図のクリーニングブレードエッジ部を拡大した図である。
従来の不定形トナーのクリーニングブレード２２によるクリーニングでは、感光体ドラム１上に転写残として残った不定形トナーはクリーニングブレード２２と感光体ドラム１とが接する部分まで感光体ドラム１の回転により運ばれ、クリーニングブレード２２が感光体ドラム１に押圧されて形成されるクサビ部に到達する。トナーが不定形なのでクリーニングブレード２２に堰き止められたトナーは回転せずにクリーニングブレード２２によりずらされ、クリーニングブレード２２を通過せず溜まり堰を作り、その後に進入してくるトナーは落下し、クリーニングブラシ２８の回転で搬送スクリュー１９部へ送られる。
【００１５】
本発明はその原理を用いたものである。トナーのクリーニングは最初のトナーによりクリーニングブレード２２を通過せずクサビ部を埋めて堰を形成し、堰を形成しているトナーがブレードを通過しなければ後続のトナーも形に関係なく阻止出来る。
球形トナー３２だけでは、球形トナー３２と感光体ドラム１との付着力及び球形トナー３２と感光体ドラム１との摩擦係数により転写残として残った球形トナー３２が感光体ドラム１上を移送されクリーニングブレード２２表面と接触した時、球形トナー３２は感光体ドラム１に連れまわる方向に回転力が生じ、その回転力でクリーニングブレード２２を押し上げながらクリーニングブレード２２を通過してしまう。従って、感光体ドラム１とクリーニングブレード２２で形成されるクサビ部に最初から不定形の磁性トナー２９で堰を作ってやればその後の画像形成で使用される球形トナー３２は容易に阻止できる。
また、感光体ドラム１とクリーニングブレード２２で形成されるクサビ部に堰を作る磁性体が磁性トナー２９なので感光体ドラム１やクリーニングブレードにキズ及び生め込まれる様な事はない。
【００１６】
このとき感光体ドラム１は、アモルファスシリコーンを用いることができる。
第４図は、このアモルファスシリコンの層構成を示す図である。
感光体ドラム１は、ベルト状又はドラム状のアルミニウム基板上に感光層を設ける。感光層には、アモルファスセレン、光導電性を有するペリレン系、フタロシアニン系有機化合物、アモルファスシリコンを用いる。特に、アモルファスシリコンが好ましい。導電性支持体を５０℃〜４００℃に加熱し、支持体上に真空蒸着法、スパッタリング法、イオンプレーティング法、熱ＣＶＤ法、光ＣＶＤ法、プラズマＣＶＤ法等の成膜法によりａ−Ｓｉからなる光導電層を有するアモルファスシリコン感光体（以下、「ａ−Ｓｉ系感光体」と称する。）を用いることが出来る。なかでも、プラズマＣＶＤ法、すなわち、原料ガスを直流または高周波あるいはマイクロ波グロー放電によって分解し、支持体上にａ−Ｓｉ堆積膜を形成する方法が好適なものとして用いられている。
【００１７】
（ａ）に示す感光体ドラム１は、支持体１１１の上にａ−Ｓｉ：Ｈ，Ｘからなり光導電性を有する光導電層１１２が設けられている。（ｂ）に示す感光体ドラム１は、支持体１１１の上に、ａ−Ｓｉ：Ｈ，Ｘからなり光導電性を有する光導電層１１２と、アモルファスシリコン系表面層１１３とから構成されている。（ｃ）に示す感光体ドラム１は、支持体１１１の上に、ａ−Ｓｉ：Ｈ，Ｘからなり光導電性を有する光導電層１１２と、アモルファスシリコン系表面層１１３と、アモルファスシリコン系電荷注入阻止層１１４とから構成されている。（ｄ）に示す感光体ドラム１は、支持体１１１の上に、光導電層１１２が設けられている。該光導電層１１２はａ−Ｓｉ：Ｈ，Ｘからなる電荷発生層１１５ならびに電荷輸送層１１６とからなり、その上にアモルファスシリコン系表面層１１３が設けられている。アモルファスシリコン系感光体は、表面硬度が高く、ＬＤのレーザ光（７７０〜８００ｎｍ）などの長波長光に高い感度を示し、しかも繰返し使用による劣化もほとんど認められないことから、高速複写機やレーザービームプリンタ（ＬＢＰ）等の画像形成装置の感光体ドラム１として用いられている。
【００１８】
この他に、保護層に耐摩耗性を向上する目的でフィラーを添加した感光体を用いることができる。有機フィラーとしては、ポリテトラフルオロエチレンのようなフッ素樹脂粉末、シリコーン樹脂粉末、ａ−カーボン粉末等が挙げられ、無機フィラーとしては、銅、スズ、アルミニウム、インジウムなどの金属粉末、酸化錫、酸化亜鉛、酸化チタン、酸化インジウム、酸化アンチモン、酸化ビスマス、アンチモンをドープした酸化錫、錫をドープした酸化インジウム等の金属酸化物、チタン酸カリウムなどの無機材料が挙げられる。これらのフィラーは単独もしくは２種類以上混合して用いられる。これらフィラーは、保護層用塗工液に適当な分散機を用いることにより分散できる。また、フィラーの平均粒径は、０．５μｍ以下、好ましくは０．２μｍ以下にあることが保護層の透過率の点から好ましい。また、本発明において保護層２１中に可塑剤やレベリング剤を添加してもよい。
【００１９】
第３図に示すように、クリーニングブレード２２と感光体ドラム１とで形成するクサビ部へ予め磁性ブレードホルダ３１に保持された磁性トナー２９でクサビ部に磁性トナー２９の堰を形成すれば上記原理でクリーニングすることができる。
また、磁性トナー２９でクサビ部にトナーの堰を作る訳であるが、シリカ等と異なり感光体ドラム１へ刺さり不具合が発生する事はない。シリカ等の硬い不定形粒子であれば、シリカが感光体ドラム１へ刺さり、それを核にトナーが付着し、画像上に白抜け状の反転が発生する。
この様に通常使用されている磁性トナー２９であれば感光体ドラム１へ刺さったり、傷ついたりして不具合を発生する事はない。磁性トナー２９は感光体廻りを組み立てる時に予め着磁されている磁性ブレードホルダ３１の先端に付けられる為、磁性トナー２９の供給装置を設ける必要はない。組立時に磁性ブレードホルダ３１の先端に付けられた磁性トナー２９は感光体ドラム１と接触しているので、画像形成が開始され感光体ドラム１が回転すると自然に感光体ドラム１とクリーニングブレード２２で形成されるクサビ部へ入り込み堰を作る。
【００２０】
クリーニングブレード２２が感光体ドラム１上の転写残トナーをクリーニングする時、感光体ドラム１上のトナー以外の転写紙の紙紛等の異物は感光体ドラム１とクリーニングブレード２２で構成されたクサビ部へ移動し、クサビ部の磁性トナー２９の堰の中へ埋もれて行く。それらの異物は長期の画像形成で、段々クサビ部へ押し込まれ感光体ドラム１とクリーニングブレード２２の間に挟み込まれ噛み込み、感光体ドラム１とブレード２２に微小の隙間ができる。この隙間から球形トナー３２のすり抜けが始まり、クリーニング不良が発生する。そこで、感光体ドラム１とクリーニングブレード２２で形成されるクサビ部に噛み込んだ異物をクサビ部から取り除く為、クリーニングブレード２２及び磁性ブレードホルダ３１を感光体ドラム１から離間し感光体ドラム１とクリーニングブレード２２とに挟まった異物を感光体ドラム１から落としてトナー排出スクリュー１９で機外排出する。感光体ドラム１とクリーニングブレード２２に挟まった異物を感光体ドラム１から落とす方法としては、画像形成終了後に感光体ドラム１を逆転しても良い。
【００２１】
または、クリーニングブレード２２及び磁性ブレードホルダ３１が感光体ドラム１から離間させてもよい。第５図は、クリーニングブレード、感光体ドラムとで形成するクサビ部へ予め磁性ブレードホルダを設けた構成を示す概略図である。
クリーニングブレード２２及び磁性ブレードホルダ３１が感光体ドラム１から離間する機構は第５図に示す。磁性ブレードホルダ３１は前後のブレードホルダ軸３５、３７を中心に回転自在に支持され、ブレードホルダ軸３５、３７を中心に磁性ブレードホルダ３１と反対側に磁性ブレードホルダ３１に一体的に取り付けられたクリーニングブレード２２が感光体ドラム１へ加圧される様に加圧バネ４１で引っ張られている。ソレノイド４０がＯＮすると磁性ブレードホルダ３１はブレードホルダ軸３５、３７を中心に反時計方向に回転し、感光体ドラム１から離間する。更にソレノイド４０がＯＦＦすると磁性ブレードホルダ３１は加圧バネ４１に引っ張られ時計方向に回転し、感光体ドラム１へ加圧接触する。
【００２２】
第６図は、本発明を用いたプロセスカートリッジの実施形態の構成を示す概略図である。
第６図において、４４はプロセスカ−トリッジ全体を示し、１は感光体ドラム、２５は接触帯電ローラ、４３は現像装置、４５はクリーニング装置を示す。本発明においては、上述の感光体ドラム１、接触帯電ローラ２５、現像装置４３及びクリ−ニング装置４５等の構成要素のうち、複数のものをプロセスカ−トリッジ４４として一体に結合して構成し、このプロセスカ−トリッジ４４を複写機やプリンタ−等の画像形成装置本体に対して着脱可能に構成する。
【００２３】
また、第７図は、本発明の多色画像形成装置の主要な構成を示した概略図である。第７図に示すように、本発明のクリーニング装置４５を用いたプロセスカ−トリッジ４４を有する画像形成装置は、感光体ドラム１が所定の周速度で回転駆動される。感光体ドラム１は回転過程において、接触帯電ローラ２５によりその周面に正又は負の所定電位の均一帯電を受け、次いで、スリット露光やレ−ザ−ビ−ム走査露光等の像露光装置からの画像露光のレーザー光４を受け、こうして感光体ドラム１の周面に静電潜像が順次形成され、形成された静電潜像は、次いで、現像装置によりトナ−現像され、現像されたトナ−像は、給紙部から感光体ドラム１と転写装置との間に感光体ドラム１の回転と同期されて給送された転写材に、転写装置により順次転写されていく。
像転写を受けた転写材は感光体ドラム１面から分離されて像定着装置へ導入されて像定着され、複写物（コピ−）として装置外へプリントアウトされる。像転写後の感光体ドラム１の表面は、クリ−ニング装置４５によって転写残りトナ−の除去を受けて清浄面化され、更除電された後、繰り返し画像形成に使用される。
【図面の簡単な説明】
【００２４】
【図１】画像形成装置全体の構成を示す概略図である。
【図２】本発明のクリーニング装置の構成を示す概略図である。
【図３】クリーニングブレードエッジ部を拡大した図である。
【図４】このアモルファスシリコンの層構成を示す図である。
【図５】クリーニングブレード、感光体ドラムとで形成するクサビ部へ予め磁性ブレードホルダを設けた構成を示す概略図である。
【図６】本発明を用いたプロセスカートリッジの実施形態の構成を示す概略図である。
【図７】本発明の多色画像形成装置の主要な構成を示した概略図である。
【符号の説明】
【００２５】
１  感光体ドラム
２  除電ランプ
４  レーザー光
８  現像ローラ
９  左スクリュー
１０  右スクリュー
１１  下レジストローラ
１２  上レジストローラ
１５  転写ローラ
１６  分離爪
１８  クリーニング装置
１９  トナー排出スクリュー
２２  クリーニングブレード
２５  接触帯電ローラ
２８  クリーニングブラシ
２９  磁性トナー
３１  磁性ブレードホルダー
３２  球形トナー
３５、３７  ブレードホルダー軸
４０  ソレノイド
４１  加圧バネ
４３  現像装置
４４  プロセスカートリッジ
４５  クリーニング装置
【図１】
2005091799.tif 000003
【図２】
2005091799.tif 000004
【図３】
2005091799.tif 000005
【図４】
2005091799.tif 000006
【図５】
2005091799.tif 000007
【図６】
2005091799.tif 000008
【図７】
2005091799.tif 000009